(57)【要約】【課題】  画像信号発生装置側から画像表示装置を容易にオンライン制御できることを目的とし、加えて、高機能／多機能化した画像表示装置に対しても、新たにユーザインタフェースを構築する必要なく、画像信号発生装置側からオンライン制御を行うためのソフトウェアの開発が容易になることを目的とする。【解決手段】  画像表示装置（２）が有する調節用の各操作子と同等の操作子をＧＵＩにより画像表示装置（２）の画面上に表示させ、画像表示装置（２）が有する調節用の各操作子に前記ＧＵＩにより表示される各操作子を対応付け、前記ＧＵＩにより表示された操作子の内、操作を受けた操作子の状態を示す情報を画像表示装置（２）へ送信する。【選択図】        図１
2005250112.tif 000002
【特許請求の範囲】
【請求項１】
調節用の操作子の操作に応じた表示をする機能を有する画像表示装置と、前記画像表示装置に画面表示させるための信号及び制御用信号を出力する画像信号発生装置と、前記画像信号発生装置への入力操作を受ける入力装置とからなるシステムにおける前記画像信号発生装置であって、
前記画像表示装置が有する調節用の各操作子と同等の操作子をＧＵＩにより前記画像表示装置の画面上に表示させ、
前記画像表示装置が有する調節用の各操作子に前記ＧＵＩにより表示される各操作子を対応付け、前記ＧＵＩにより表示された操作子の内、操作を受けた操作子の状態を示す情報を前記画像表示装置へ送信する
ことを特徴とする画像信号発生装置。
【請求項２】
前記画像表示装置から、該画像表示装置が有する各操作子の有効／無効の情報を受け、これに応じて前記ＧＵＩにより表示される各操作子の有効／無効を識別可能に表示する
ことを特徴とする請求項１に記載の画像信号発生装置。
【請求項３】
調節用の操作子の操作に応じた表示をする機能を有する画像表示装置と、前記表示装置に画面表示させるための信号及び制御用信号を出力する画像信号発生装置と、前記画像信号発生装置への入力操作を受ける入力装置とからなるシステムにおける画像表示装置であって、
前記画像信号発生装置から供給される、当該画像表示装置が有する調節用の各操作子と同等の操作子をＧＵＩにより画面上に表示させる映像信号を受けてこの映像を表示し、
さらに、前記ＧＵＩにより画面上に表示された操作子の内、操作を受けた操作子の状態を示す情報を受け、該操作を受けた操作子に対応する当該画像表示装置が有する調節用の操作子が前記状態にあるものとして調節用の処理を行う
ことを特徴とする画像表示装置。
【請求項４】
当該画像表示装置が有する各操作子の有効／無効の情報を、前記画像信号発生装置へ送信する
ことを特徴とする請求項３に記載の画像表示装置。
【請求項５】
調節用の操作子の操作に応じた表示をする機能を有する画像表示装置と、前記画像表示装置に画面表示させるための信号及び制御用信号を出力する画像信号発生装置と、前記画像信号発生装置への入力操作を受ける入力装置とからなるシステムにおいて前記画像表示装置を制御する方法であって、
前記画像信号発生装置が、前記画像表示装置が有する調節用の各操作子と同等の操作子をＧＵＩにより前記画像表示装置の画面上に表示させ、
前記画像表示装置が有する調節用の各操作子に前記ＧＵＩにより表示される各操作子を対応付け、前記ＧＵＩにより表示された操作子の内、操作を受けた操作子の状態を示す情報を前記画像表示装置へ送信し、
前記画像表示装置は、前記画像信号発生装置から前記操作を受けた操作子の状態を示す情報を受け、該操作を受けた操作子に対応する当該画像表示装置が有する調節用の操作子が前記状態にあるものとして調節用の処理を行う
ことを特徴とする画像表示装置のオンライン制御方法。
【発明の詳細な説明】
【技術分野】
【０００１】
本発明は、画像信号発生装置、画像表示装置、および画像表示装置の制御方法に関し、特には、表示デバイスを含んで構成される画像表示装置と、この画像表示装置へ画像信号を供給する画像信号発生装置とを接続し、この画像信号発生装置からオンラインで制御／調節を行う技術に関する。
【背景技術】
【０００２】
現在のＬＣＤモニタ等の画像表示装置では、従来からある位置やサイズ、クロック位相の調節などの標準的な機能の他に、ガンマ補正やホワイトバランスなど詳細な調節機能を有し、それらをＵＳＢ（Ｕｎｉｖｅｒｓａｌ Ｓｅｒｉａｌ Ｂｕｓ）やＲＳ−２３２Ｃ、ＤＤＣ（Ｄｉｓｐｌａｙ Ｄａｔａ Ｃｈａｎｎｅｌ）規格などによる通信により、ＰＣ（パーソナルコンピュータ）からオンラインで制御できる機能を持つものもある。
【０００３】
ＰＣからモニタ調節をオンライン制御で行う場合、従来は、図１７に示すようなＧＵＩ（Ｇｒａｐｈｉｃａｌ Ｕｓｅｒ Ｉｎｔｅｒｆａｃｅ）をもつモニタ制御用ソフトウェアを起動し、入力装置として備わるマウスやキーボードを用いて操作することにより、モニタの明るさや色合いの調節、画像の位置やサイズ調節などを行っている。調節可能な機能は各機種ごとに固有なものもあり、前述のＧＵＩも機種ごとに作成しなければならず多大な開発工数を必要とする。
【０００４】
一方、モニタ自体も多機能化に伴い、図１８に示すようなＯＳＭ（Ｏｎ Ｓｃｒｅｅｎ Ｍｅｓｓａｇｅ）やＯＳＤ（Ｏｎ Ｓｃｒｅｅｎ Ｄｉｓｐｌａｙ）と呼ばれるモニタ自体が表示するＧＵＩを搭載し、主にフロントパネル前面に配置されているコントロールキー（図１９）を操作することにより、さまざまな調節機能に対応している。
【０００５】
他方、特許文献１に記載の技術では、あらかじめ接続対象の制御機器（パソコン等）毎に制御用の画面を作成しそれを内部記憶領域に保存している。そして、専用ポートに制御機器が接続されるとそれを認識し、接続された機器に対応した画面を記憶領域から読み出してその表示を行う。このようにして、専用の接続ポートに制御機器を接続するだけで、対応した制御用画面を表示装置に表示することができるようにしている。
【０００６】
図２０に、従来例の構成を示す。この構成では、
（１）モニタ制御用ソフトウェアは、モニタの制御情報（画像位置／サイズ／輝度など）をＵＳＢやＲＳ−２３２Ｃ、ＤＤＣラインなどの通信手段によりモニタより読み込み、ＧＵＩに表示する（図１７）、
（２）ユーザはモニタの画像表示状態とＧＵＩ上のモニタの制御情報を見ながら、ＰＣのマウスやキーボードなどでこのＧＵＩを操作する、
（３）モニタ制御用ソフトウェアは、ユーザの操作に従って制御コマンドをモニタへ送信し、例えば「画像の表示位置を２ポイント右にずらす」、「輝度を３ポイント下げる」などの制御を行う、
という手順により、モニタの調節を行うものとなっている。
【特許文献１】特開平１１−２１２６２８号公報
【発明の開示】
【発明が解決しようとする課題】
【０００７】
上記のようにオンライン制御による調節を行う場合、モニタが有する各機能に対応したコマンドをＰＣからモニタに送信することによりモニタを制御していた。従って機能が増えれば増えた分設定画面を、また微妙な調節用に詳細な調節画面をと、高機能なＧＵＩをモニタ制御用ソフトウェア側で用意する必要があった。したがって、高機能化／多機能化されたモニタ（画像表示装置）をオンライン制御する場合、これらの機能を有効に活用するために、特にＧＵＩの開発に非常に多くの開発工数を要するようになった。
【０００８】
本発明は、上記の点に鑑みてなされたもので、画像信号発生装置側から画像表示装置を容易にオンライン制御できることを目的とし、加えて、高機能／多機能化した画像表示装置に対しても、新たにＧＵＩを構築する必要なく、画像信号発生装置側からオンライン制御を行うためのソフトウェアの開発が容易になることを目的とする。
【課題を解決するための手段】
【０００９】
上記課題を解決するため、請求項１に記載の発明は、調節用の操作子の操作に応じた表示をする機能を有する画像表示装置と、前記画像表示装置に画面表示させるための信号及び制御用信号を出力する画像信号発生装置と、前記画像信号発生装置への入力操作を受ける入力装置とからなるシステムにおける前記画像信号発生装置であって、前記画像表示装置が有する調節用の各操作子と同等の操作子をＧＵＩにより前記画像表示装置の画面上に表示させ、前記画像表示装置が有する調節用の各操作子に前記ＧＵＩにより表示される各操作子を対応付け、前記ＧＵＩにより表示された操作子の内、操作を受けた操作子の状態を示す情報を前記画像表示装置へ送信することを特徴としている。
【００１０】
また、請求項２に記載の発明は、請求項１に記載の画像信号発生装置において、前記画像表示装置から、該画像表示装置が有する各操作子の有効／無効の情報を受け、これに応じて前記ＧＵＩにより表示される各操作子の有効／無効を識別可能に表示することを特徴としている。
【００１１】
また、請求項３に記載の発明は、調節用の操作子の操作に応じた表示をする機能を有する画像表示装置と、前記表示装置に画面表示させるための信号及び制御用信号を出力する画像信号発生装置と、前記画像信号発生装置への入力操作を受ける入力装置とからなるシステムにおける画像表示装置であって、前記画像信号発生装置から供給される、当該画像表示装置が有する調節用の各操作子と同等の操作子をＧＵＩにより画面上に表示させる映像信号を受けてこの映像を表示し、さらに、前記ＧＵＩにより画面上に表示された操作子の内、操作を受けた操作子の状態を示す情報を受け、該操作を受けた操作子に対応する当該画像表示装置が有する調節用の操作子が前記状態にあるものとして調節用の処理を行うことを特徴としている。
【００１２】
また、請求項４に記載の発明は、請求項３に記載の画像表示装置において、当該画像表示装置が有する各操作子の有効／無効の情報を、前記画像信号発生装置へ送信することを特徴としている。
【００１３】
また、請求項５に記載の発明の画像表示装置のオンライン制御方法は、調節用の操作子の操作に応じた表示をする機能を有する画像表示装置と、前記画像表示装置に画面表示させるための信号及び制御用信号を出力する画像信号発生装置と、前記画像信号発生装置への入力操作を受ける入力装置とからなるシステムにおいて前記画像表示装置を制御する方法であって、前記画像信号発生装置が、前記画像表示装置が有する調節用の各操作子と同等の操作子をＧＵＩにより前記画像表示装置の画面上に表示させ、前記画像表示装置が有する調節用の各操作子に前記ＧＵＩにより表示される各操作子を対応付け、前記ＧＵＩにより表示された操作子の内、操作を受けた操作子の状態を示す情報を前記画像表示装置へ送信し、前記画像表示装置は、前記画像信号発生装置から前記操作を受けた操作子の状態を示す情報を受け、該操作を受けた操作子に対応する当該画像表示装置が有する調節用の操作子が前記状態にあるものとして調節用の処理を行うことを特徴としている。
【発明の効果】
【００１４】
本発明によれば、画像表示装置が有する調節用の各操作子にＧＵＩにより表示される各操作子を対応付け、このＧＵＩにより表示された操作子の内、操作を受けた操作子の状態を示す情報を画像表示装置へ送信し、一方、画像表示装置は、受けた情報から操作を受けた操作子に対応する当該画像表示装置が有する調節用の操作子が前記状態にあるものとして調節用の処理を行うので、画像信号発生装置側から画像表示装置を容易にオンライン制御することが可能となる。
【００１５】
また、画像表示装置が有する調節用の機能を利用するので、高機能／多機能化した画像表示装置に対しても、新たにＧＵＩを構築する必要がなくなり、画像信号発生装置側からオンライン制御を行うためのソフトウェアの開発が容易となる。
また、各操作子の有効／無効を前記ＧＵＩにより識別可能に表示するので、識別が用意で操作性がよくなる。
【発明を実施するための最良の形態】
【００１６】
以下、本発明の実施の形態を、図面を参照して説明する。
図１は、本発明の一実施の形態のシステム全体の概略構成を示すブロック図である。
【００１７】
本実施形態は、ＵＳＢやＲＳ−２３２Ｃ、ＤＤＣ規格などによるオンライン通信により、画像信号発生装置であるＰＣ１あるいは、ＰＣ１に搭載されるグラフィックカード及びそのドライバから、画像表示装置である、ＬＣＤ、ＣＲＴ、プラズマディスプレイ（ＰＤＰ）などの表示デバイスを含んで構成されるモニタ２を制御するシステムである。
【００１８】
前述のように、ＰＣ１からモニタ２の調節をするためのオンライン制御ができるものもあるが、高機能化により、モニタ制御用ソフトウェアの開発、特にＧＵＩの開発が複雑化している。一方、モニタ２自体が標準的にその調節用の画面表示をする機能（ＯＳＤ）を有し、モニタ２に備わる操作キー（以下、コントロールキーと称す）を操作することでモニタ２の調節を行えるようになっている。
【００１９】
本実施形態では、このモニタ２がもつ、コントロールキーを用いた調節機能を利用し、同じ調節をＰＣ１側から制御できるようにするものである。
ＰＣ１からモニタ２を制御するため、本実施実施形態では、ＰＣ１にインストールされたモニタ制御用ソフトウェア（以下、モニタ制御ソフトと称す）によるＧＵＩとして、図１７に示すような従来のＧＵＩとは異なり、モニタ２に備わるコントロールキーと同等の構成からなる仮想コントロールキーをモニタ２に表示させ（図２：ステップＳ１０１）、この仮想コントロールキーに対するマウス／キーボード３を用いた操作を受け付ける（図２：ステップＳ１０２）。
【００２０】
モニタ制御ソフトは、ユーザによるマウス／キーボード３を用いた仮想コントロールキーの操作に応じて、対応するモニタ２のコントロールキーが操作された場合と同等のキーの押下状態を示す情報（操作を受けた操作子の状態を示す情報）を制御コマンドとして、モニタＩ／Ｆ（インターフェース）を介しモニタ２へ送信する（図２：ステップＳ１０３）。例えば、「＋」キーが押下されたとか、「ＲＥＳＥＴ」と「実行」キーが同時に押されているなどのキーの押下状態を制御コマンドとしてモニタ２に送信する。
【００２１】
モニタ２は、受信した制御コマンド（操作情報）に応じて、付属のコントロールキーが押下された場合と同じ処理を実行する。このときモニタ２の画面には、仮想コントロールキーに加え、モニタ２が本来もつＯＳＤ（Ｏｎ  Ｓｃｒｅｅｎ  Ｄｉｓｐｌａｙ）が表示される（例えば、図１８）。ユーザはこのＯＳＤの表示を見ながら、このＯＳＤ上のメニューに従って仮想コントロールキーをさらに操作することでモニタ２の各種機能の調節を行う。
以上のように、従来は、モニタ制御ソフトが生成していた図１７に示すようなＧＵＩに代え、モニタ２に標準的に用意されるＧＵＩの機能（ＯＳＤ）を流用することで、モニタ制御ソフトウェアの開発、特にＧＵＩの開発は、非常に容易なものとなる。
【００２２】
次に、他の実施例について図３、４を参照し説明する。
図３に示すように、本実施形態は、先の実施形態と基本的に同様の構成をとるが、モニタ制御ソフトが、モニタ２側からキーの有効／無効条件を取得し、この条件に応じて、仮想コントロールキーの表示態様を変更する点が異なっている。
図４に示すように、モニタ制御ソフトが起動されると、このモニタ制御ソフトは、前述と同様に仮想コントロールキーをモニタ２に表示させる（ステップＳ２０１）。
【００２３】
次いで、モニタ２からキーの有効／無効条件の情報を取得する（ステップＳ２０２）。
そして、ステップＳ２０２にて取得したキーの有効／無効条件を基に、仮想コントロールキーの表示態様を変更する。図４に示すステップＳ２０３では、有効なキーと無効なキーを色分けしている。このように有効なキーと無効なキーを、識別可能とする表示態様に変更することで、モニタ２自体に備わるコントロールキーによる操作よりも操作性がよくなる。
【００２４】
ここで具体的に例示すると、例えば、図５に示すＯＳＤが表示されている状態では、仮想コントロールキーの各キーの機能は、図６に示すものとなり、キー入力によって同図に示す動作を行う。この例では、“−”，“＋”，“ＲＥＳＥＴ”キーが無効で、その他のキーが有効となっている。各キーの有効／無効の条件は上記のようにモニタ２から与えられる。上記ステップＳ２０３では、有効なキーと無効なキーを色分けしているが、例えば、無効なキーを半輝度グレーおよび境界を点線にし、有効なキーをグリーンで表示するなど、表示態様を違えることでユーザはどのキーが有効か一目で理解できるようになる。
【００２５】
同様に、図８に示すＯＳＤが表示されている状態では、仮想コントロールキーの各キーの機能は、例えば、図９に示すものとなり、この例では、“ＳＥＬＥＣＴ”キーが無効で、その他のキーが有効となっている。上記例のように、無効なキーを半輝度グレーおよび境界を点線にし、有効なキーをグリーンで表示すると、図１０のようになるが、有効なキーのうち「＜」と「＞」、「−」と「＋」とはそれぞれ１組になっているので、同じ組のキーには同色を、異なるキーには異なる色を割り当て色分けすると（図１１参照）、どのボタンを操作すればよいのか直感的に把握できるようになる。
【００２６】
なお、図４において、ステップＳ２０３に後続するステップＳ２０４〜Ｓ２０５の処理は、前述したステップＳ１０２〜Ｓ１０３と同じである。すなわち、ステップＳ２０４にて、ユーザによりマウスやキーボードを用いた仮想コントロールキーの操作が行われると、ステップＳ２０５で、キー入力に対応した制御コマンドをモニタ２へ送信する。
この制御コマンドを受信したモニタ２は、前述のように、この制御コマンドに従って、モニタ２に付属のコントロールキーが押下された場合と同じ処理を実行する。
【００２７】
以上に説明した形態では、仮想コントロールキーを利用して、モニタ２のＯＳＤに表示されたメニューから順次選択・指定を行うものであったが、一連のキーの押下順列や組合せキー（例えば、「ＲＥＳＥＴ」と「実行」キーの同時押下など）をマクロとして登録・設定することにより、例えば、従来人手でも行ってきたモニタの生産ラインでの調節や出荷検査において、ＰＣ１からコントロールキーの制御コマンド列を送信することで、より確実で効率のよい作業を実現することも可能となる。
【００２８】
ここで、制御コマンドのマクロ登録について、図１２〜１６を参照し説明する。
この例では、仮想コントロールキーに図１２に示すように、「マクロ設定開始」と「マクロ実行」キーを設けている。ユーザがマクロ登録を行う場合、マウス操作等により「マクロ設定開始」をクリックされ、登録されたマクロを実行する場合には、「マクロ実行」キーがクリックされる。
以下では、「マクロ設定開始」キーがクリックされて、マクロ登録が開始されているものとする。なお、「マクロ設定開始」がクリックされると、このキーの表示は「マクロ設定完了」に変更される。
【００２９】
ＯＳＤが非表示状態で、マウス操作等により「ＥＸＩＴ」キーが押下状態になると、図１３に示すＯＳＤが表示される（なお、ここでは、「ＥＸＩＴ」キーによりＯＳＤのＯＮ／ＯＦＦが制御されるものとする）。このとき、マクロの第１コマンドとして、“ＥＸＩＴ”が登録される。
次いで、図１３に示すＯＳＤが表示されている状態で、マウス操作により「＞」キーが押下状態になると、Ｔａｇが１つ右に移動し、ＯＳＤは図１４に示すようになる（なお、この例では、「＞」キーの押下によりＴａｇが１つ右に移動するものとする）。このとき、マクロの第２コマンドとして、“＞”が登録される。
【００３０】
次いで、「ＳＥＬＥＣＴ」キーがクリックされると、図１５に示すように下位のサブメニューの「ＡＵＴＯ  ＡＤＪＵＳＴ」が選択される（なお、この例では、「ＳＥＬＥＣＴ」キーの押下により下位のサブメニュー等の選択がなされるものとする）。このとき、“ＳＥＬＥＣＴ”が、マクロの第３コマンドとして登録される。
さらにこの例では、モニタ画面の調節を進めるために、ＯＳＤにて指示された「ＳＥＬＥＣＴ」キーが押下されて図１６の状態となる。この状態で画面調節のための処理が進行される。このとき、“ＳＥＬＥＣＴ”が、マクロの第４コマンドとして登録される。
【００３１】
次いで、「マクロ設定完了」キーがクリックされると、「マクロ設定完了」キーの表示は、「マクロ設定開始」に戻される。このとき、ＰＣ１の記憶領域には、ＥＸＩＴ、＞、ＳＥＬＥＣＴ、ＳＥＬＥＣＴという制御コマンド列が記憶されている。なお、このようにして登録されるマクロは、複数登録可能として、実行させるマクロを選択できるようにしてもよい。また、予め所定の制御コマンド列を登録しておき、例えば、モニタ制御ソフトでもっておき、適宜利用できるようにしてもよい。
以上の登録処理がなされ、「マクロ実行」が押下されると、マクロとして登録されている上記第１コマンド〜第４コマンドからなる制御コマンド列が、ＰＣ１からモニタ２へ送信され、モニタ２は受信した制御コマンド列に従って処理を実行する。
【００３２】
なお、モニタ制御ソフトは、前述した機能をコンピュータシステムにすでに記録されているプログラムとの組合せで実現できるもの、いわゆる差分ファイル（差分プログラム）であっても良い。
以上、この発明の実施形態を、図面を参照して詳述してきたが、具体的な構成はこの実施形態に限られるものではなく、この発明の要旨を逸脱しない範囲の構成等も含まれることは言うまでもない。
【図面の簡単な説明】
【００３３】
【図１】本発明の一実施の形態のシステム全体の概略構成を示すブロック図である。
【図２】同実施形態のモニタ制御ソフトウェアの動作フローチャートである。
【図３】他の実施例のシステム全体の概略構成を示すブロック図である。
【図４】同実施例のモニタ制御ソフトウェアの動作フローチャートである。
【図５】ＯＳＤの一例である。
【図６】コントロールキーの機能割り当てを示す図（一例）である。
【図７】仮想コントロールキーの表示例である。
【図８】ＯＳＤの一例である。
【図９】コントロールキーの機能割り当てを示す図（一例）である。
【図１０】仮想コントロールキーの表示例である。
【図１１】仮想コントロールキーの表示例である。
【図１２】仮想コントロールキーの他の例である。
【図１３】マクロ登録を説明する図である。
【図１４】マクロ登録を説明する図である。
【図１５】マクロ登録を説明する図である。
【図１６】マクロ登録を説明する図である。
【図１７】従来のＧＵＩによるモニタ制御用の設定画面例である。
【図１８】ＯＳＤの一例である。
【図１９】モニタに備わるコントロールキーの一例である。
【図２０】従来のシステム全体の概略構成を示すブロック図である。
【符号の説明】
【００３４】
１…ＰＣ（画像信号発生装置）
２…モニタ（画像表示装置）
３…マウス／キーボード（入力装置）
【図１】
2005250112.tif 000003
【図２】
2005250112.tif 000004
【図３】
2005250112.tif 000005
【図４】
2005250112.tif 000006
【図５】
2005250112.tif 000007
【図６】
2005250112.tif 000008
【図７】
2005250112.tif 000009
【図８】
2005250112.tif 000010
【図９】
2005250112.tif 000011
【図１０】
2005250112.tif 000012
【図１１】
2005250112.tif 000013
【図１２】
2005250112.tif 000014
【図１３】
2005250112.tif 000015
【図１４】
2005250112.tif 000016
【図１５】
2005250112.tif 000017
【図１６】
2005250112.tif 000018
【図１７】
2005250112.tif 000019
【図１８】
2005250112.tif 000020
【図１９】
2005250112.tif 000021
【図２０】
2005250112.tif 000022